(57)【要約】      （修正有）【課題】底部排出型のフレキシブル容器等の排出口の開口及び充填物の円滑な排出を簡便に行うことを可能とする。【解決手段】簡易口締め具１と排出補助具４で構成する簡易口締め排出用具をフレキシブル容器等の組み立て時に装着することにより、排出口の口締めは簡易口締め具の引き紐を引くことで簡易口締め具の筒部が簡単に排出口の折り曲げ部から離脱し解除される。また、排出補助具の引き紐を引くことで、フレキシブル容器内部１３に挿入した排出補助具の軟質塊がフレキシブル容器外に引き出され、充填物の排出路を速やかに形成し円滑な排出が行なえる。【選択図】図３
0003102221.tif 000002
【実用新案登録請求の範囲】
【請求項１】
フレキシブル容器の口締めと開口及び充填物の排出を容易に安全に行う用具で、フレキシブル容器の投入口、底部排出口等を束ねて折り曲げ、折り曲げた部分を硬質又は軟質の樹脂・布等で作った用具の筒状部分に通すことにより投入口、排出口を緊縛して口締めを行い、開口時は筒状部分に取り付けた引き紐を引くことによりワンタッチで筒状部分を外し開口することを特徴とする簡易口締め具、と引き紐とその先端に樹脂等の硬質又は軟質材で充填物の中を移動しやすい球・円錐等の形状の塊を有し、フレキシブル容器組み立て時、容器の内部に塊を置き底部排出口から外に引き紐を出した状態で排出口を締め、充填物の排出時は排出口の開口と同時に引き紐を引き排出補助具の先端の塊を排出口に通すことにより充填物の排出路を速やかに形成し、充填物の排出を容易にすることを特徴とする排出補助具を組み合わせたフレキシブル容器の簡易口締め排出用具。
【請求項２】
請求項１記載の簡易口締め排出用具を構成する簡易口締め具と排出補助具を、各々の特徴を生かし個別に使用するフレキシブル容器の簡易口締め排出用具。
【考案の詳細な説明】
【技術分野】
【０００１】
本考案は、フレキシブル容器の口締めと開口及び充填物の排出に関するものである。
【背景技術】
【０００２】
粉粒体の運搬に使用する上部に投入口を下部に排出口を有する筒状のフレキシブル容器は、充填・排出等の必要に応じ投入口及び排出口を開閉するがこれらの口締めは通常縛り紐により行われている。しかし、排出口側の縛り紐を解いて開口し、充填物を排出する作業(開袋作業)は、狭い空間でフレキシブル容器の下側に手や体を入れて行う必要があり、作業姿勢に無理が生じたり吊具の破損等により作業者に危害が及ぶ危険を伴う。
【０００３】
これらの問題を解決するため、多くの考案では排出口の開口をいかに安全に簡単に行うかに注目し、縛り紐に代わるものが提案されている。
公開実用新案公報  昭６３−１０２６９１
公開実用新案公報  実開平５−３４１９５
公開実用新案公報  実開平７−１５５７７
しかし、これら提案の多くは、フレキシブル容器の底部をその容器特有の構造にすることにより対応しており、既製のフレキシブル容器には適用することができない。また、同時に既製の各種フレキシブル容器でも使用できるように、縛り紐を引き出し解く冶具
公開実用新案公報  実開平５−７７０８６
も提案されているが、狭い場所等での取扱いには難点がある。
【０００４】
その上、排出口の拘束が解かれても不充分な開口や充填物の状態によっては排出し始めるまでに時間がかかり、特に内装がある場合、開口されても内袋の口部の状態によっては内装がすぐには開口されず、先に内装の余長部分がずり落ちて開口部に薬溜まりが発生して充填物の排出が円滑に出来なくなり、排出補助を必要とする場合がある。
【考案の開示】
【考案が解決しようとする課題】
【０００５】
解決しようとする問題点は、底部排出型フレキシブル容器の排出口口締め部の開口が簡単に行えないこと及び開袋後の充填物の排出が円滑に行えないことである。
【課題を解決するための手段】
【０００６】
本考案は、口締め部を簡単に開口できる口締め及び開袋後に充填物の排出路を速やかに確保し充填物の円滑な排出を行うことを特徴とする。
【考案の効果】
【０００７】
本考案の簡易口締め排出用具は、これを使用することにより充填したフレキシブル容器の開袋作業を、狭く足場の悪い場所に於いても安全で簡単に行うことが出来る利点がある。
【考案を実施するための最良の形態】
【０００８】
フレキシブル容器の開袋作業は、製造ライン・充填物の貯蔵槽等のホッパー付近で行うが、これらの場所は狭く足場の悪い場合が多い。このような場所に於いても開袋作業が、引き紐を引くことにより安全で簡単に行えることを実現した。
【実施例】
【０００９】
図1は簡易口締め排出用具を構成する簡易口締め具及び排出補助具である。簡易口締め具は、硬又は軟質の樹脂・布等の筒に引き紐を取り付けた構造で、引き紐を引くことにより即座にフレキシブル容器の排出口を口締めのため折りたたんで挿入した筒から引き抜き、排出口を開口することが出来る。また、排出補助具は引き紐とその先端に樹脂等の軟質材で充填物の中を移動しやすい球・円錐状等の形状の塊を持つ構造で、開袋作業時引き紐を引くことにより、容易にフレキシブル容器の内部の塊を底部排出口から外に引き出し速やかに排出路を作ることができる。使用時は両方の引き紐を色分け連結し、順番に手早く引けるようにして使用する。
【００１０】
図２は、上部に投入口を底部に排出口を持ち充填・排出時に上部及び底部の口を開閉する構造のフレキシブル容器である。この容器で考案の用具を使用すると効果の大きい内装のある場合について説明する。従来、この型のフレキシブル容器の充填・排出は、次のように行っている。まず、底部排出口は粉粒体の充填前、充填物が漏れないように内装と一緒に絞った後、外装付属の縛り紐・マジックテープ等で縛り菊割れ部の中に収納し保護布で保護し菊割れ部締め紐を締めて閉じ収納を終わる。開袋作業は、排出する充填物の収納設備のホッパー外で菊割れ部締め紐を解き菊割れ部を開いた後、ホッパー上で排出口を引き出し排出口締め紐を解き排出を行う。この時、排出を円滑に行うため、内装の開口、薬溜まり除去のための手による補助作業を適宜行う必要がある。
【００１１】
図３、図４は本考案の用具の装着図である。この場合、図２にある排出口締め紐は必要としない。作業は、充填前、排出補助具の塊部を内装底部に置き、引き紐は排出口部分から外に出した状態で排出口の外内装を揃えて束ね折り曲げ、次に折り曲げた部分に簡易口締め具の筒部分を通す。通し難い場合は、折った部分に紐を通し筒内を導引してもよい。排出口は、簡易口締め具を通した後、引き紐を巻き込まないようにして保護布で保護し菊割れ部を締め紐で閉じる。この時、簡易口締め具と排出補助具の引き紐は、菊割れ部締め紐に繋げ一緒に固定しておくと、開袋作業が容易になり、用具の落下防止に有効である。
【００１２】
開袋作業は、まず、フレキシブル容器を吊り上げ菊割れ部締め紐を解き、菊割れ部を開いた後ホッパー上に移動し、次に、ホッパー上の所定の位置で菊割れ部締め紐に繋げてある簡易口締め具と排出補助具の引き紐を引くことで終了する。これにより、簡易口締め具が外れて排出口が開き、排出補助具が引き出されることにより充填物の排出路が形成され、充填物は速やかに排出される。
【図面の簡単な説明】
【００１３】
【図１】本実用新案の簡易口締め排出用具を構成する簡易口締め具と排出補助具の図である。
【図２】底部に排出口を有するフレキシブル容器の外観図である。
【図３】簡易口締め具と排出補助具の装着断面図である。
【図４】充填時の断面図である。
【符号の説明】
【００１４】
１  簡易口締め具
２  筒
３  引き紐
４  排出補助具
５  硬質又は軟質塊
６  引き紐
７  フレキシブル容器外装
８  排出口
９  排出口締め紐
１０  保護布
１１  菊割れ部
１２  菊割れ部締め紐
１３  フレキシブル容器内装
【図１】
0003102221.tif 000003
【図２】
0003102221.tif 000004
【図３】
0003102221.tif 000005
【図４】
0003102221.tif 000006